(57)【要約】【課題】操作者が、画面から目を離すことなく、複数の入力指令を容易に行うことのできるＸ線撮影装置の提供。【解決手段】被検体を載置する天板を間にして対向配置されるＸ線源と映像系装置を有し、少なくとも前記天板、Ｘ線源、および映像系装置に各種の動作指令を与える複数の操作器を配設する制御操作卓を備えるＸ線撮影装置であって、  前記各操作器は該天板、Ｘ線源、および映像系装置の一連の操作にあって同時に操作できる第１操作器および第２操作器を備え、  前記第１操作器と第２操作器を共働させて上記一連の操作がなされることを特徴とするＸ線撮影装置。【選択図】図１
2008048933.tif 000002
【特許請求の範囲】
【請求項１】
被検体を載置する天板を間にして対向配置されるＸ線源と映像系装置を有し、少なくとも前記天板、Ｘ線源、および映像系装置に各種の動作指令を与える複数の操作器を配設する制御操作卓を備えるＸ線撮影装置であって、
前記各操作器は該天板、Ｘ線源、および映像系装置の一連の操作にあって同時に操作できる第１操作器および第２操作器を備え、前記第１操作器と第２操作器を共働させて上記一連の操作がなされることを特徴とするＸ線撮影装置。
【請求項２】
前記第１操作器は把持部を有するレバー操作器として構成されるとともに、前記第２操作器は前記レバー操作器の把持部に取り付けられたボタン操作器として構成されていることを特徴とする請求項１に記載のＸ線撮影装置。
【請求項３】
前記第１操作器および第２操作器は一つのレバー操作器として構成され、前記第１操作器は該レバー操作器の傾倒操作により、第２操作器は該レバー操作器の旋回操作により操作がなされることを特徴とする請求項１に記載のＸ線撮影装置。
【請求項４】
前記第１操作器および第２操作器は一つのレバー操作器として構成され、前記第１操作器は該レバー操作器の傾倒操作により、第２操作器は該レバー操作器の上下動操作により操作がなされることを特徴とする請求項１に記載のＸ線撮影装置。
【請求項５】
レバー操作器からなる前記第１操作器の傾倒操作は前記天板、Ｘ線源、および映像系装置のいずれかを動作させるとともに、一方の方向の傾倒操作にあって該動作を遅く、他方の方向の傾倒操作にあって該動作を速く設定することを特徴とする請求項１乃至４のいずれか一項に記載のＸ線撮影装置。
【発明の詳細な説明】
【技術分野】
【０００１】
本発明はＸ線撮影装置に係り、特に、その制御操作卓に改良が施されたＸ線撮影装置に関する。
【背景技術】
【０００２】
Ｘ線撮影装置は被検体を載置する天板を間にして対向配置されるＸ線源と映像系装置を有して構成されている。そして、前記映像系装置はＸ線源からの前記被検体を透過したＸ線を検知しそのＸ線の検知量から該被検体の内部臓器等の陰影画像を作成するようになっている。
【０００３】
また、このようなＸ線撮影装置は、被検体の胃に充填された造影剤をその周囲にまで充分いきわたらせるように、その天板を水平方向に対して自由に傾くように動作させ、また、その際に、該被検体の腹部を圧迫させる圧迫筒を動作させるように構成されている。
【０００４】
さらに、被検体に対し前記Ｘ線源および映像系装置を自由な個所に移動させ所望の部位におけるＸ線撮影ができるように、前記天板の上下、水平動作はもちろんのこと、Ｘ線源および映像系装置をも動作させるように構成されている。
【０００５】
Ｘ線撮影装置の天板、圧迫筒、Ｘ線源、および映像系装置のこのような動作は、上述したＸ線撮影装置の本体と離間して配置される制御操作卓からの操作によってなされ、該制御操作卓には、上述した各種の動作を個々に行わしめる操作に対応させた操作器（抵抗変化操作あるいはスイッチ操作ができる操作器をいう）が多数配設されて構成されている。
【０００６】
なお、このような制御操作卓による各種操作は、該制御操作卓上に配置された表示装置の画面に映像された臓器等を観察しながらなされるようになっており、このため、各種の前記操作器は該表示装置の前方部の限られた領域内に集約させて配置されているのが通常である。
【０００７】
このような制御操作卓の詳細な構成はたとえば下記特許文献１等に開示がなされている。
【特許文献１】特開２００５−１３７４０８号公報
【発明の開示】
【発明が解決しようとする課題】
【０００８】
しかし、近年において、Ｘ線撮影装置は、その多機能化および高機能化が進み、上述した動作以外にも他の動作が追加され、さらに、それらのうちのいくつかは、たとえば時間的に同時にあるいは順次に動作させる等のように、互いに関連し合った動作をさせなければならなくなってきている。
【０００９】
このため、上記各動作を行わせしめるための指令を入力させるための制御操作卓上の操作器の数は増加し、操作者は両手を用いて操作しなければならないことはもちろんのこと、ある場合には、肘までも用いてこれらの各操作器を駆使しなければならない状態にまでなってきている。
【００１０】
この場合、操作者が比較的大きな人であればある程度は容易に操作はできるものの、たとえば女性等のように小柄な人が操作者である場合において、充分な操作が困難となる場合があり、さらには操作後にともなう疲労感も無視しえないものとなってきている。
【００１１】
そして、このような操作は操作者が制御操作卓に備えられた表示装置の画面を注視しながら行うことから、異なる種類の操作器を同時にあるいは順次に動作させることは、それら操作器が互いに近くに配置されていてもその困難性は免れるものではなかった。
【００１２】
本発明の目的は、操作者が、画面から目を離すことなく、複数の入力指令を容易に行うことのできるＸ線撮影装置を提供することにある。
【課題を解決するための手段】
【００１３】
本願において開示される発明のうち、代表的なものの概要を簡単に説明すれば、以下のとおりである。
【００１４】
（１）本発明によるＸ線撮影装置は、たとえば、被検体を載置する天板を間にして対向配置されるＸ線源と映像系装置を有し、少なくとも前記天板、Ｘ線源、および映像系装置に各種の動作指令を与える複数の操作器を配設する制御操作卓を備えるＸ線撮影装置であって、
前記各操作器は該天板、Ｘ線源、および映像系装置の一連の操作にあって同時に操作できる第１操作器および第２操作器を備え、前記第１操作器と第２操作器を共働させて上記一連の操作がなされることを特徴するものである。
【００１５】
（２）本発明によるＸ線撮影装置は、たとえば、（１）の構成を前提とし、前記第１操作器は把持部を有するレバー操作器として構成されるとともに、前記第２操作器は前記レバー操作器の把持部に取り付けられたボタン操作器として構成されていることを特徴とする。
【００１６】
（３）本発明によるＸ線撮影装置は、たとえば、（１）の構成を前提とし、前記第１操作器および第２操作器は一つのレバー操作器として構成され、前記第１操作器は該レバー操作器の傾倒操作により、第２操作器は該レバー操作器の旋回操作により操作がなされることを特徴とする。
【００１７】
（４）本発明によるＸ線撮影装置は、たとえば、（１）の構成を前提とし、前記第１操作器および第２操作器は一つのレバー操作器として構成され、前記第１操作器は該レバー操作器の傾倒操作により、第２操作器は該レバー操作器の上下動操作により操作がなされることを特徴とする。
【００１８】
（５）本発明によるＸ線撮影装置は、たとえば、（１）乃至（４）のいずれかの構成を前提とし、レバー操作器からなる前記第１操作器の傾倒操作は前記天板、Ｘ線源、および映像系装置のいずれかを動作させるとともに、一方の方向の傾倒操作にあって該動作を遅く、他方の方向の傾倒操作にあって該動作を速く設定することを特徴とする。
【００１９】
なお、本発明は以上の構成に限定されず、本発明の技術思想を逸脱しない範囲で種々の変更が可能である。
【発明の効果】
【００２０】
このような構成のＸ線撮影装置によれば、操作者が、画面から目を離すことなく、複数の入力指令を容易に行うことができるようになる。
【発明を実施するための最良の形態】
【００２１】
以下、本発明によるＸ線撮影装置の実施例を図面を用いて説明をする。
【００２２】
[Ｘ線撮影装置１の全体構成]
図２は本発明によるＸ線撮影装置の一実施例を示した外観図である。なお、図２に示すＸ線撮影装置は後述の制御操作卓１０を除いて示した図となっている。
【００２３】
図２において、該Ｘ線撮影装置１は、床面に対して垂直に配置される柱体２を有し、この柱体２に対して支持されるＸ線源装置３と映像系装置４とを備えている。Ｘ線源装置３と映像系装置４は互いに向き合うようにして連結体５を介して配置され、これらＸ線源装置３と映像系装置４は該連結体５を介して前記柱体２に支持されている。また、前記柱体２に支持された天板６を有し、この天板６は前記Ｘ線源装置３と映像系装置４の間において該映像系装置４に近接した状態で配置されている。さらに、前記連結体５の中途部には必要に応じて突出あるいは退避する圧迫筒７が備えられている。
【００２４】
このような構成において、被検体（図示せず）を載置する前記天板６は、天板起倒方向Ａ、天板横方向Ｂ、天板縦方向Ｃ、および天板昇降方向Ｄにそれぞれ移動できるように構成されている。この天板６の上方に支持されるＸ線源装置３は、Ｘ線源装置回転方向Ｅ、Ｘ線源装置上下方向Ｆ、およびＸ線源装置斜入方向Ｇに移動できるように構成されている。圧迫筒７は圧迫筒挿入退避方向Ｈに移動可能に構成され、またＸ線源装置３から照射して前記被検体を通過したＸ線を受け撮影像を得るように天板６の下部に構成した映像系装置４は、映像系縱（上下）方向Ｉに移動可能に構成されている。
【００２５】
そして、これら各移動方向の操作は、次に説明する制御操作卓１０による操作によってなされるようになっている。
【００２６】
[制御操作卓１０の全体構成]
図３は、上述したＸ線撮影装置１と分離して配置され該Ｘ線撮影装置１の上述した各部の動きを遠隔で操作する制御操作卓１０の一実施例を示した外観図である。
【００２７】
該制御操作卓１０はテーブル状をなしその机上面の中央には操作盤１１が配置されている。この操作盤１１は、後にその構成の詳細を示すように、図２に示したＸ線撮影装置１の前記Ｘ線源装置３、映像系装置４、天板６、圧迫筒７等に対して種々の動作指令を与える複数の操作器を配置させて構成されている。
【００２８】
操作者（図示せず）が該制御操作卓１０に向かって起立した際に該操作者の両手は該操作盤１１の上面に容易に載せることができるようになっている。操作者が両手を用いて該操作盤１１を操作できるようにするためである。また、該操作盤１１が配置された机上面は操作者の側において低くなるように傾斜されて構成され、操作者による該操作盤１１の操作を行い易いようになっている。
【００２９】
また、前記操作盤１１を間にして操作者の側に対して反対側となる机上面には、その中央においてＸ線テレビモニター１２が、該Ｘ線テレビモニター１２の左側においてタッチパネル式ＥＬディスプレィ１３、インターホン音量調節器１４、及び小型操作盤１５が、該Ｘ線テレビモニター１２の右側においてタッチパネル式ＥＬディスプレィ１６、テレビモニタ調整器１７、及び小型操作盤１８が、操作者にとって観察あるいは操作し易いように配置されている。
【００３０】
ここで前記小型操作盤１５、１８は主として多数のスイッチから構成されたものとなっている。そして、この小型操作盤１５、１８は、それによる操作が前記操作盤１１による操作とは比較的連携が希薄となっているため、該操作盤１１に対し比較的遠い距離を有して配置されている。
【００３１】
また、該制御操作卓１０には、操作者の足下部において、インターホン用フットスイッチ１９および透視ＯＮ／ＯＦＦフットスイッチ２０が配置されている。これらのスイッチを操作する場合、操作者の両手は前記操作盤１１上においていくつかの操作器の操作がなされているのが通常となっているため、該インターホン用フットスイッチ１９および透視ＯＮ／ＯＦＦフットスイッチ２０を足で操作できるように構成されている。
【００３２】
[操作盤１１の構成]
図４は、前記操作盤１１の一実施例を拡大して示した平面図である。
【００３３】
該操作盤１１は、上述したように、図２に示したＸ線撮影装置１の前記Ｘ線源装置３、映像系装置４、天板６、圧迫筒７等に対して種々の動作指令を与える複数の操作器を配置させて構成されている。そして、これら各操作器は、大別して時系列的操作器と同時操作器とからなっている。
【００３４】
前記時系列的操作器は、前記天板６、Ｘ線源装置３、および映像系装置４等の一連の操作にあって時系列的に順次与える動作指令に対応して個別にそれぞれ操作する複数の操作器からなり、たとえば操作盤の中央部やその他の適当な位置に配置されて構成されている。図３においては、互いに隣接されて並設されているたとえば４個の操作器３０がこの時系列的操作器の一つに該当している。
【００３５】
前記同時操作器は、前記天板６、Ｘ線源装置３、および映像系装置４等の一連の操作にあって同時に与えられる（操作の始めあるいは終わりにおいて同時でなくても動作期間に重なりがあればよい）動作指令に対応して操作する各操作器からなり、たとえば、図中左側に配置され左方操作ハンドルからなるレバー操作器３１と図中右側に配置され右方操作ハンドルからなるレバー操作器３２とに割り付けて構成されている。操作者は左手で前記レバー操作器３１を右手で前記レバー操作器３３を同時に操作することにより、前記天板６、Ｘ線源装置３、あるいは映像系装置４等に一の動作指令とそれ以外の他の動作指令を同時に与えることができるようになっている。
【００３６】
また、前記時系列操作器および同時操作器にあってもその操作における連携は一般的に密になっており、該操作盤１１上において片方の手である操作器を操作する一方において他の片方の手で他の操作器を操作したりしなければならないようになっている。
【００３７】
なお、前記同時操作器の用途の例として、Ｘ線撮影装置１において被検体の胃を圧迫しながらいわゆるしごき操作を行う作業があることが知られているが、たとえば前記レバー操作器３２の操作を行うことによって前記圧迫筒７を動作させて撮影部位である胃を圧迫するとともに、前記レバー操作器３３の操作を行うことによって天板６をその幅方向に移動させて前記圧迫筒７によるしごき動作を行うことが揚げられる。
【００３８】
[レバー操作器３４の構成]
さらに、前記操作盤１１には、そのほぼ中央部の手前においてレバー操作器３４が配置され、このレバー操作器３４の把持部の揺動（傾倒）の各方向への操作によって、たとえば、前記天板６の起倒動作を行うことができるようになっている。そして、後の説明で明らかとなるが、該レバー操作器３４における操作によって、該天板６のいわゆる逆傾動作をもできるように構成されている。
【００３９】
図１は、図４に示したレバー操作器３４の一実施例を示す構成図であり、図１（ａ）は正面図を、図１（ｂ）は側面図を示している。また、図１（ｃ）は該レバー操作器３４の把持部の揺動にともなって連動する機構部を示した正面図である。
【００４０】
まず、図１（ａ）において、該レバー操作器３４は、操作盤１１の表面（図中点線Ｓで示す）から突出された棒状の把持部３４ａを有し、この把持部３４ａの基部は操作盤１１内において支軸３４ｂによって支持されている。
【００４１】
前記把持部３４ａは、図１（ｃ）に示すように、前記支軸３４ｂを中心として揺動（矢印Ｐ方向）できるようになっており、その遥動面は操作卓の前方（操作者が位置する側）の側面とほぼ平行をなす平面となっている。
【００４２】
該レバー操作器３４は、その把持部３４ａがその垂直位置を基準にしてたとえば−３０°から＋３０°までの範囲で遥動できるようになっている。
【００４３】
そして、図１（ｃ）に示すように、該把持部３４ａの０°から３０°までの一方向の遥動において、前記支軸３４ｂに対し反対側に取り付けられ該支軸３４ｂから放射状をなす扇状板材３４ｃを同方向に遥動させ、該扇状板材３４ｃの円弧部に近接して取り付けられた回転角センサ３４ｄによって該揺動の角度を検出するようになっている。また、該把持部３４ａの０°から−３０°までの他の方向の遥動において、前記支軸３４ｂに対し反対側に取り付けられ該支軸３４ｂから放射状をなす扇状板材３４ｅを同方向に遥動させ、該扇状板材３４ｅの円弧部に近接して取り付けられた回転角センサ３４ｆによって該揺動の角度を検出するようになっている。ここで、前記回転角センサ３４ｄおよび３４ｆのそれぞれの角度検出は、その角度に対応させて前記天板６の起動および倒動をそれぞれ行わしめるようになっている。
【００４４】
また、前記扇状板材３４ｃおよび扇状板材３４ｅは、それぞれに前記支軸３４ｂを中心として形成された円弧状のスリット３４Ｓ内にそれぞれ植設されたピン３４Ｐにガイドされて同一平面内を移動できるようになっており、かつ、前記平面内において収縮ばね３４Ｘによって連結された構成となっている。
【００４５】
このため、前記把持部３４ａはその中間（０°）の位置（垂直位置）から離れて遥動する際に該垂直位置に戻される感触（いわゆる中立位置感触）を得られるようになっている。
【００４６】
そして、このような構成からなるレバー操作器３４において、その把持部３４ａの頂部における内部にはボタン操作器３５が埋設され、該ボタン操作器３５のボタン部３５ａが該把持部３４ａの表面から若干突出した状態となっている。
【００４７】
これにより、操作者は、該レバー操作器３４の把持部３４ａをたとえば左手で握った状態でその親指で前記ボタン操作器３５のボタン部３５ａを押圧させることができるようになっている。
【００４８】
このことは、把持部３４ａの遥動による該レバー操作器３４の操作を行いながら、必要な際においてボタン部３５ａの押圧による該ボタン操作器３５の操作を同時に行うことができ、しかも、これらの各操作は操作者の一方の手のみで行うことができることを意味する。そして、一方の手のみで上述した操作を行うことができるということは、さらに、他方の手で他の異なる種類の操作器を操作できることを意味する。
【００４９】
前記ボタン操作器３５のスイッチ操作は前記レバー操作器３４において前記スイッチ操作とは独立して構成されている。すなわち、該レバー操作器３４による動作指令と前記ボタン操作器３５による動作指令はそれぞれ別個の動作に対してなされるようになっている。しかし、該ボタン操作器３５をレバー操作器３４に組み込んで構成することによって、これらボタン操作器３５による動作指令およびレバー操作器３４による動作指令によってなされる動作自体はＸ線撮影装置１の一連の動作において関連を有するようになっている。すなわち、たとえば前記ボタン操作起３５によるスイッチ操作は、天板６のいわゆる逆傾動作を行うようにその機能が割り当てられている。
【００５０】
しかし、前記レバー操作器３４は、上述したように天板６における起倒動作および逆傾動作を行うことに限定されることはない。たとえば被検者の胃を圧迫しながらいわゆるしごき操作を行う作業において、前記レバー操作器３４の把持部３４ａの操作を行うことによって前記圧迫筒７を動作させて撮影部位である胃を圧迫するとともに、該レバー操作器３４に組み込まれて構成されたボタン操作器３５の操作を行うことによって天板６をその幅方向に移動させて前記圧迫筒７によるしごき動作を行うようにしてもよい。
【００５１】
また、上述したレバー操作器は、前記操作盤１１においてそのほぼ中央部の手前に配置されたレバー操作器３４に適用させたものである。しかし、前記操作盤１１において左側に配置され左方操作ハンドルからなるレバー操作器３１に適用させてもよい。この場合、該レバー操作器３１の機能をたとえば従来通りとし、該機能による動作に重ねて動作させようとする他の機能を該レバー操作器３１に組み込んだボタン操作器（図１に示すボタン操作器３５に相当する）に担当させるようにしてもよい。
【００５２】
このように構成したレバー操作器３４は、その把持部３４ａにボタン操作器３５を備えたものとなっていることから、たとえば従来の操作盤１１に備えられていた該ボタン操作器と同様の機能を有するボタン操作器(たとえば、図３においてボタン操作器３５’で示される）を配置させる必要がなくなる効果を奏する。このため、該ボタン操作器３５’が配置されていた個所に他の機能を持たせた操作器を新たに設置できるという効果も得られる。
【００５３】
ちなみに、従来では、前記ボタン操作器３５’を用いる該レバー操作器３４の同時操作は、たとえば左手で操作する場合、その親指で前記レバー操作器３４の把持部３４ａを掛け、薬指で前記ボタン操作器３５’を押し、その際に該左手を小指を介して操作盤１１上で支えるようにして行うものであって、その操作は困難であるとともに疲労を伴うものであった。
【００５４】
[レバー操作器３２の構成]
図５は、図４に示したレバー操作器３２の一実施例を示す斜視図である。このレバー操作器３２は、図１に示したレバー操作器３４と比較した場合、操作器自体の構成はほぼ同様となっているが、その把持部３２ａにおいて若干太めに構成されている。
【００５５】
この場合、該把持部３２ａにおいて、その頂部を除く部分であって該把持部３２ａを自然に握った際の手の各指のうちいずれかの指の先が当接する部分において、ボタン操作器３６、３７がそれらのボタン部３６ａ、３７ａを突出させて組み込まれている。図５の場合、把持部３２ａを自然に握った際の手のたとえば薬指および小指の先がそれぞれ当接する部分において、前記ボタン操作器３６、３７が配置されるようになっている。
【００５６】
このようなレバー操作器３２は、その把持部３２ａが比較的太めに形成されていることから、該把持部３２ａの頂部を除く側面においてボタン操作器３６、３７をスペース的余裕を持って取り付けられることに基づいて構成される。
【００５７】
このボタン操作器３６、３７のそれぞれの操作はたとえば把持部３２ａを握った手の各指のうち対応するいずれかの指によって容易に行うことができる。
【００５８】
なお、このように構成されたレバー操作器３２において、さらに、その把持部３２ａの頂部に、前記ボタン操作器３６、３７等とは異なる他のボタン操作器（図５中符号３８で示している）を組み込ませるように構成してもよい。このボタン操作器３８の操作はたとえば把持部３２ａを握った手の各指のうち親指によって容易に行うことができる。
【００５９】
このレバー操作器３２にあっては、その把持部３２ａによる操作によってたとえば前記映像系装置４を動作（一軸視野切換）させ、たとえば前記ボタン操作器３６によつてたとえばいわゆるインチ切換の操作を行うようにできる。該ボタン操作器３６による該インチ切換は、そのボタン部３６ａのたとえば中指による押圧によって行うことができ、該中指をボタン部３６ａから離すことにより該インチ切換を停止させることができる。
【００６０】
この場合、前記レバー操作基３２の近傍にたとえば発光ダイオード等からなる明暗表示器を備えるように構成し、前記ボタン操作器３６のオン動作によって前記明暗表示器を点灯させ、該ボタン操作器３６のオフ動作によって該明暗表示器を消灯させるように構成することによって、操作者は該ボタン操作器３６の操作の確認を視覚を通して行うことができる効果を奏することができる。
【００６１】
また、このレバー操作器３２にあっては、たとえばそのボタン操作器３６を操作することによって、前記天板６を上下方向に動作させ、該レバー操作器３２の把持部３２ａの左右方向の揺動によってインチ切換を可能とすることもできる。
【００６２】
[他の実施例]
上述した実施例では、レバー操作器においてその把持部の側面の一部にボタン操作器を組み込んで構成し、それらの操作を該レバー操作器の把持部を把持した手のみで同時に行えるようにしたものである。
【００６３】
しかし、該ボタン操作器を組み込む替わりに、前記操作盤１１に配置させた該レバー操作器を垂直に立てた把持部の周りに若干旋回できる構成とし、該レバー操作器の把持部の揺動操作の他に旋回する操作によって前記ボタン操作器においてした操作と同様の操作を行わせるように構成してもよい。
【００６４】
すなわち、該レバー操作器は、その操作盤１１への取付面と平行な面内において、右側へたとえば３０°、左側へたとえば３０°旋回できるように構成し、それら右あるいは左への旋回に対応した動作指令を出力させるようにしてもよい。
【００６５】
この場合、該レバー操作器の上述した旋回に応じてたとえばロータリスイッチを動作させ該ロータリスイッチによって上記動作指令を出力させてもよく、前記旋回の終端においてＯＦＦからＯＮに切り替わる接点スイッチを動作させ該接点スイッチによって上記動作指令を出力させるようにしてもよい。
【００６６】
レバー操作器をこのように構成しても、操作者がその把持部を握った状態で、該レバー操作器の揺動操作および旋回操作を極めて容易な操作で同時に行うことができるようになる。
【００６７】
また、操作盤１１に配置された該レバー操作器をその垂直軸の方向に若干上下動できる構成とし、該レバー操作器の揺動操作の他に上下動操作によって前記ボタン操作器においてした操作と同様の操作を行わせるように構成してもよい。
【００６８】
該レバー操作器をたとえばその操作盤１１への取付面側に押し付けることによって移動させることにより、その移動に応じてたとえばロータリスイッチを動作させ該ロータリスイッチによって上記動作指令を出力させてもよく、前記移動の終端においてＯＦＦからＯＮに切り替わる接点スイッチを動作させ該接点スイッチによって上記動作指令を出力させるようにしてもよい。なお、前記レバー操作器は、通常時に操作盤１１への取付面に対して上方にたとえばばねによって附勢させた状態に構成し、該レバー操作器の操作盤への取付面側への移動を該附勢力に抗して行うようにすることで、その上下動操作を行い易くできる。
【００６９】
レバー操作器をこのように構成しても、操作者がその把持部を握った状態で、該レバー操作器の揺動操作および上下動操作を極めて容易な操作で同時に行うことができるようになる。
【００７０】
さらに、上述した各レバー操作器における構成において、その把持部による揺動操作で前記天板、Ｘ線源、および映像系装置のいずれかを動作させる際に、一方の方向の揺動操作にあって該動作を遅く、他方の方向の傾倒操作にあって該動作を速く設定するようにしてもよい。
【００７１】
上述した各実施例はそれぞれ単独に、あるいは組み合わせて用いても良い。それぞれの実施例での効果を単独であるいは相乗して奏することができるからである。
【図面の簡単な説明】
【００７２】
【図１】本発明によるＸ線撮影装置の制御操作卓に配置されるレバー操作器の一実施例を示す構成図である。
【図２】本発明によるＸ線撮影装置の一実施例を示した外観図である。
【図３】本発明によるＸ線撮影装置に具備されて用いられる制御操作卓の一実施例を示した外観図である。
【図４】前記制御操作卓上の操作盤の一実施例を拡大して示した平面図である。
【図５】本発明によるＸ線撮影装置の制御操作卓に配置されるレバー操作器の他の実施例を示す構成図である。
【符号の説明】
【００７３】
１……Ｘ線撮影装置、２……柱体、３……Ｘ線源装置、４……映像系装置、５……連結体、６……天板、７……圧迫筒、１０……制御操作卓、１１……操作盤、１２……Ｘ線テレビモニター、１３……タッチパネル式ＥＬディスプレィ、１４……インターホン音量調節器、１５、１８……小型操作盤、１６……タッチパネル式ＥＬディスプレィ、１７……テレビモニタ調整器、１９……インターホン用フットスイッチ、２０……透視ＯＮ／ＯＦＦフットスイッチ、３２、３３、３４……レバー操作器、３４ａ……把持部、３４ｂ……支軸、３４ｃ、３４ｅ……扇状板材、３４ｄ、３４ｆ……回転角センサ、３４Ｓ……スリット、３４Ｐ……ピン、３４Ｘ……圧縮ばね、３５、３６、３７、３８……ボタン操作器、３５ａ、３６ａ、３７ａ……ボタン部、Ａ……天板起倒方向、Ｂ……天板横方向、Ｃ……天板縦方向、Ｄ……天板昇降方向、Ｅ……Ｘ線源装置回転方向、Ｆ……Ｘ線源装置上下方向、Ｇ……Ｘ線源装置斜入方向、Ｈ……圧迫筒挿入退避方向、Ｉ……映像系縱（上下）方向。
【図１】
2008048933.tif 000003
【図２】
2008048933.tif 000004
【図３】
2008048933.tif 000005
【図４】
2008048933.tif 000006
【図５】
2008048933.tif 000007